(57)【特許請求の範囲】
【請求項１】
測定対象物の３次元構造測定用の測定機器と、
前記測定機器を搭載し、一つの車輪で走行面に接して走行する移動用一輪車と、を具え、
前記測定機器は、
前記測定対象物に向けてスリット光を投光するスリット光投光器と、
前記スリット光を投光された前記測定対象物を前記スリット光の投光方向と交差する方向から撮影するデジタルカメラと、
前記スリット光投光器および前記デジタルカメラの位置と、前記スリット光投光器の投光方向および前記デジタルカメラの撮影方向と、前記デジタルカメラの撮影した画像とから光切断法により前記測定対象物の３次元構造を求めて出力する３次元構造演算装置と、を有し、
前記移動用一輪車は、
互いに直角な三軸周りの前記移動用一輪車の回転角を検出する回転角センサと、
前記車輪の回転を検出する車輪回転センサと、
前記回転角センサからの自律航法用情報と、前記車輪回転センサからの移動距離情報とに基づき、前記測定機器による測定の際のその測定機器の前記スリット光投光器および前記デジタルカメラの位置と前記スリット光投光器の投光方向および前記デジタルカメラの撮影方向とを求めて前記３次元構造演算装置に与える測定位置・方向演算装置と、を有することを特徴とする、移動式３次元構造測定装置。
【請求項２】
前記測定機器の前記スリット光投光器は、レーザ式ラインマーカを有することを特徴とする、請求項１記載の移動式３次元構造測定装置。
【請求項３】
前記測定機器の前記スリット光投光器は、前記レーザ式ラインマーカを回転させて前記スリット光の投光方向を変更する回転型レーザ光投光器であることを特徴とする、請求項２記載の移動式３次元構造測定装置。
【請求項４】
前記測定機器の前記スリット光投光器は、液晶式プロジェクタであることを特徴とする、請求項１記載の移動式３次元構造測定装置。
【請求項５】
前記測定機器の前記スリット光投光器は、複数種類の波長のスリット光を投光することを特徴とする、請求項１から４までの何れか記載の移動式３次元構造測定装置。
【請求項６】
前記移動用一輪車は、互いに直角な三軸方向の前記移動用一輪車の加速度を検出する加速度センサを有し、
前記測定位置・方向演算装置は、前記スリット光投光器および前記デジタルカメラの位置と前記スリット光投光器の投光方向および前記デジタルカメラの撮影方向とを求めるために前記加速度センサからの自律航法用情報も用いることを特徴とする、請求項１から５までの何れか記載の移動式３次元構造測定装置。
【発明の詳細な説明】
【０００１】
【発明の属する技術分野】
この発明は、植物群その他の測定対象物の３次元構造を非破壊、非接触で広範囲にわたって測定するための移動式３次元構造測定装置に関するものである。
【０００２】
【従来の技術】
植物群の３次元構造測定は、木（植物の一種）や森（植物群の一種）の活力を生態学的に評価する指標の一つとして用いられている。このため、植物群の３次元構造を非破壊、非接触で測定する技術は重要であり、例えば本願発明者もレーザ光切断法を用いた構造測定技術を先に非特許文献１にて提案している。
【０００３】
【非特許文献１】
Agricultural and Forest Meteorology 91(1998) 149-160
【０００４】
【発明が解決しようとする課題】
しかしながら上記レーザ光切断法では、植物群に向けてスリット光を投光するスリット光投光器と、そのスリット光を投光された植物群をスリット光の投光方向と交差する方向から撮影するデジタルカメラとを所定場所に設置して、スリット光投光器の投光方向を複数方向に変えて各投光方向につきデジタルカメラで植物群を撮影し、その撮影時のスリット光投光器およびデジタルカメラの位置および向きとデジタルカメラで撮影した植物群の各画像とから植物群の断面的な構造を求めて、それを組み合わせることで植物群の３次元構造を求めていたので、所定場所に設置したスリット光投光器およびデジタルカメラから２０ｍ〜５０ｍ程度の狭い範囲しか測定できず、森林構造の特徴を充分に把握しきれないという問題があった。
【０００５】
このため、レールやクレーン、ロープウェー等の施設を設置してスリット光投光器およびデジタルカメラの位置を求めながら移動測定を行うことも試みられたが、施設の設置に費用と手間がかかるとともに、それらの施設が植物群の環境を損なうおそれがあるという問題があった。
【０００６】
また、ＧＰＳ（全地球測位システム）でスリット光投光器およびデジタルカメラの位置を求めながら移動測定を行うことも試みられたが、ＧＰＳの衛星からの電波が届きにくい森林内その他の林冠下等では測定を行えないという問題があった。
【０００７】
【課題を解決するための手段】
この発明は、上記課題を有利に解決することを目的とするものであり、この発明の移動式３次元構造測定装置は、測定対象物の３次元構造測定用の測定機器と、前記測定機器を搭載し、一つの車輪で走行面に接して走行する移動用一輪車と、を具え、前記測定機器は、前記測定対象物に向けてスリット光を投光するスリット光投光器と、前記スリット光を投光された前記測定対象物を前記スリット光の投光方向と交差する方向から撮影するデジタルカメラと、前記スリット光投光器および前記デジタルカメラの位置と、前記スリット光投光器の投光方向および前記デジタルカメラの撮影方向と、前記デジタルカメラの撮影した画像とから光切断法により前記測定対象物の３次元構造を求めて出力する３次元構造演算装置と、を有し、前記移動用一輪車は、互いに直角な三軸周りの前記移動用一輪車の回転角を検出する回転角センサと、前記車輪の回転を検出する車輪回転センサと、前記回転角センサからの自律航法用情報と、前記車輪回転センサからの移動距離情報とに基づき、前記測定機器による測定の際のその測定機器の前記スリット光投光器および前記デジタルカメラの位置と前記スリット光投光器の投光方向および前記デジタルカメラの撮影方向とを求めて前記３次元構造演算装置に与える測定位置・方向演算装置と、を有することを特徴とするものである。
【０００８】
かかる移動式３次元構造測定装置にあっては、測定機器を搭載した移動用一輪車が、測定作業者による手押しあるいは搭載モータ等の動力源で駆動されて、一つの車輪で地表面や路面や床面等の走行面に接して、森林内の道なき斜面や悪路、登山路等の走行面上を走行し、その走行中、回転角センサが、例えばその移動用一輪車の前後、左右および上下方向に延在する互いに直角な三軸周りのその移動用一輪車の回転角を検出し、車輪回転センサが、その移動用一輪車の車輪の回転を検出し、測定位置・方向演算装置が、上記回転角センサからの自律航法用情報と、上記車輪回転センサからの移動距離情報とに基づき、その移動用一輪車が搭載した測定機器による測定の際のその測定機器のスリット光投光器およびデジタルカメラの位置と、それらスリット光投光器の投光方向およびデジタルカメラの撮影方向とを求めて３次元構造演算装置に与える。
【０００９】
そして上記移動用一輪車の走行中あるいは適宜停止しての、上記移動用一輪車が搭載した測定機器による測定の際、スリット光投光器が、測定対象物に向けてスリット光を投光し、デジタルカメラが、スリット光を投光された測定対象物をスリット光の投光方向と交差する方向から撮影し、３次元構造演算装置が、測定位置・方向演算装置から与えられたスリット光投光器およびデジタルカメラの位置とスリット光投光器の投光方向およびデジタルカメラの撮影方向と、デジタルカメラの撮影した画像とから光切断法により測定対象物の３次元構造を求めて画面表示や記録装置への記録等の形態で出力する。
【００１０】
【発明の効果】
従ってこの発明の移動式３次元構造測定装置によれば、森林構造の特徴の充分な把握等のための測定対象物の広範囲な測定の際に、従来のようにレールやクレーン、ロープウェー等の施設を設置しなくても移動測定を行うことができるので、施設の設置の費用と手間がかからず安価に、かつ植物群等の環境を損なうことなしに移動測定を行うことができ、また、ＧＰＳの衛星からの電波が届きにくい森林内その他の林冠下等でも測定を行うことができる。
【００１１】
なお、この発明の移動式３次元構造測定装置においては、前記測定機器の前記スリット光投光器が、レーザ式ラインマーカを有するものであっても良く、このようにすれば、レーザ式ラインマーカはスリット光として強くかつ細くて明確なレーザ光を投光し得るので、光切断法での３次元構造測定をより正確に行うことができる。
【００１２】
そして、この発明の移動式３次元構造測定装置においては、前記測定機器の前記スリット光投光器が、前記レーザ式ラインマーカを回転させて前記スリット光の投光方向を変更する回転型レーザ光投光器であっても良く、このようにすれば、移動測定中の各測定位置で従来のように一定範囲の測定を行い得るので、移動中に間隔をあけて停止して測定を行う場合にその測定間隔を広く取り得て、測定の手間と時間を少なくすることができる。
【００１３】
また、この発明の移動式３次元構造測定装置においては、前記測定機器の前記スリット光投光器が、液晶式プロジェクタであっても良く、このようにすれば、液晶式プロジェクタはレーザ光源と比較して耐振動性が高く、しかも対人安全性が高いので、当該移動式３次元構造測定装置の耐久性および測定作動時の安全性を高めることができる。
【００１４】
さらに、この発明の移動式３次元構造測定装置においては、前記測定機器の前記スリット光投光器が、複数種類の波長のスリット光を同時にまたは選択的に投光するようにしても良く、このようにすれば、例えば一般に森林の葉群は幹枝に比べて可視緑色や近赤外光の反射率が高く、可視赤色光の反射率が低いので、二種類の波長のスリット光を選択的に投光して撮影した画像から葉群と幹枝を分別し得る等、複数種類の波長を使うことで測定対象物の部分的な分光反射特性の差から測定対象物の構成を知ることができる。
【００１５】
そして、この発明の移動式３次元構造測定装置においては、前記移動用一輪車が、互いに直角な三軸方向の前記移動用一輪車の加速度を検出する加速度センサを有し、前記測定位置・方向演算装置が、前記スリット光投光器および前記デジタルカメラの位置と前記スリット光投光器の投光方向および前記デジタルカメラの撮影方向とを求めるために前記加速度センサからの自律航法用情報も用いても良く、このようにすれば、加速度センサが、例えばその移動用一輪車の前後、左右および上下方向に延在する互いに直角な三軸方向の、その移動用一輪車の加速度を検出し、測定位置・方向演算装置が、前記スリット光投光器および前記デジタルカメラの位置と前記スリット光投光器の投光方向および前記デジタルカメラの撮影方向とを求めるためにその加速度も用いるので、移動用一輪車に衝撃等による加速度が生じた場合でも、スリット光投光器およびデジタルカメラの位置と方向とを求める際の誤差を少なくすることができる。
【００１６】
【発明の実施の形態】
以下に、この発明の実施の形態を実施例によって、図面に基づき詳細に説明する。ここに、図１は、この発明の移動式３次元構造測定装置の一実施例としての植物群用移動式３次元構造測定装置の外観を模式的に示す斜視図、図２は、その実施例の植物群用移動式３次元構造測定装置の搭載機器の構成を示すブロック線図である。
【００１７】
この実施例の植物群用移動式３次元構造測定装置は、図１に示すように、手押し用のハンドル1aと停止時用の二つの脚1b（図では片方のみ示す）とを持つフレーム１と、そのフレーム１の下部に枢支された一つだけの車輪２と、上記フレーム１上に設けられた天板３とを有して、その車輪２により走行面としての地表面Ｇに接地点Ｃで接地して測定作業者Ｗの手押し駆動で一輪走行する移動用一輪車４と、各々上記天板３上に搭載された、測定機器５のうちのデジタルカメラ5a、角度・加速度センサ６、３次元構造演算装置および測定位置・方向演算装置としての通常のノート型パーソナルコンピュータ７並びに図示しないポータブル電源装置と、上記フレーム１の後部に立設された約120cmの長さのアルミ製支柱1cの上端部に搭載された、測定機器５のうちのスリット光投光器5bと、上記フレーム１の下部に搭載されて車輪２の回転を検出する車輪回転センサ８とを具えており、上記角度・加速度センサ６は内部に、互いに直角なｘ，ｙ，ｚ軸の三軸方向の移動用一輪車４の加速度を検出する加速度センサ９と、互いに直角なｘ，ｙ，ｚ軸の三軸周りの移動用一輪車４の回転角を検出する回転角センサ１０とを収納している。
【００１８】
ここで、移動用一輪車４は、市販の二輪車（例えば昭和ブリッジ販売株式会社製の二輪車 CC3-2FA）の左右方向へ延在する軸線上に並んだ元の二つの車輪を外し、代わりにそれらの車輪の中間位置に一つの車輪２のみを回転自在に取り付け、また機器を搭載し易いように元の合成樹脂製のボディを外し、代わりに平坦な合板製の天板３を、人が立ってハンドル1aを手で持った状態で概略水平になるように取り付けることで構成されている。そして車輪回転センサ８は、上記車輪２の車軸に直列に配置した二個のポテンシオメータ（例えば日本電産コパル株式会社製のCPP-45RBN 22.7ｋΩ）からなり、このポテンシオメータには角度を測定できない死角が存在するため、二個のポテンシオメータは、同時に死角とならないよう各々の死角が互いに180 度ずれて位置するように設置されている。
【００１９】
また、角度・加速度センサ６は、市販のもの（例えば株式会社データ・テック製の三軸角度センサ GU-3024）にて構成され、図１に示すように、そこに収納された加速度センサ９は、そのセンサのｘ軸が、天版3の表面に平行に移動用一輪車４の前後方向に延在する当該移動用一輪車４固有の直角座標系のｘ軸と平行に延在し、そのセンサのｙ軸が、天版3の表面に平行に移動用一輪車４の左右方向に延在する当該移動用一輪車４固有の直角座標系のｙ軸と平行に延在し、そのセンサのｚ軸が、天版3の表面に垂直に移動用一輪車４の上下方向に延在する当該移動用一輪車４固有の直角座標系のｚ軸と平行に延在するように取り付けられ、またそこに収納されたジャイロからなる回転角センサ１０は、そのセンサのｘ軸が当該移動用一輪車４固有の上記直角座標系のｘ軸と一致して前後方向に延在し、そのセンサのｙ軸が当該移動用一輪車４固有の上記直角座標系のｙ軸と一致して移動用一輪車４の左右方向に延在し、そのセンサのｚ軸が移動用一輪車４の車軸に対し車輪２の中心部分で直交して当該移動用一輪車４固有の上記直角座標系のｚ軸と一致して移動用一輪車４の上下方向に延在するように取り付けられている。そして上記図示しないポータブル電源装置は、バッテリ内蔵インバータ（例えばスワロー電機株式会社製のポータブル電源 Z-130）にて構成され、角度・加速度センサ６およびパーソナルコンピュータ７の電源としてAC100Vを出力する。
【００２０】
さらにこの実施例では、角度・加速度センサ６の内部の加速度センサ９と回転角センサ１０とがそれぞれ検出した三次元方向加速度と三次元方向角度とのデータが、RS232Cケーブルを介してパーソナルコンピュータ７に入力される。また、車輪回転センサ８を構成する二個のポテンシオメータの電源端子（端子間抵抗値固定の両端端子）同士が互いに並列に接続されて、その並列回路に20ｋΩの固定抵抗が直列に接続され、これら全体に単一乾電池四個直列による約６Ｖの電圧が印荷されており、上記二個のポテンシオメータの並列回路の両端の電圧（V0）と、それらのポテンシオメータの各々の出力端子（抵抗値可変の中間端子）の電圧（V1, V2）との計三つの電圧が、パーソナルコンピュータ７のカードスロット内に挿入されたAD変換カード（例えばラトックシステム株式会社製のREX-5054U ）を介してそれぞれ独立にパーソナルコンピュータ７に入力される。
【００２１】
さらに、測定機器５のうちのデジタルカメラ5aは、市販のもの（例えばソニー株式会社製のデジタル出力白黒カメラモジュール XCD-X700）にて構成され、測定対象物としての植物群の撮影のために、図１に示すように、この実施例では真上（天板３の表面と直交する、移動用一輪車４の上方向）に視軸を向けて天板３上に設置されており、そのデジタルカメラ5aの電源は、上記ポータブル電源装置から供給される。そしてデジタルカメラ5aが出力する画像データは、パーソナルコンピュータ７の残りのカードスロット内に挿入されたIEEE1394カード（例えばラトックシステム株式会社製のREX-CBFW1-L）を介してパーソナルコンピュータ７に入力される。
【００２２】
また、測定機器５のうちのスリット光投光器5bは、これも市販の、波長の異なる二種類のレーザ式ラインマーカ（例えば株式会社オーディオテクニカ製の可変光学系レーザユニット SU-42C-685-A40（波長685nmの赤色光レーザ）およびSU-42C-830-A40（波長830nmの近赤外光レーザ））にて構成され、測定対象物としての植物群に向けてスリット光を投光するために、図１に示すように、この実施例ではスリットの向きが移動用一輪車４の車軸と平行となるように上方に向け、ややデジタルカメラ5a側に倒してアルミ製支柱1cの上端部に取り付けられており、そのスリット光投光器5bの電源は、上記単一乾電池四個直列による約６Ｖが、デジタルカメラ5aでの撮影の際にスイッチを手動でＯＮとされて供給される。
【００２３】
そしてパーソナルコンピュータ７は、図２に示すように、ＣＰＵ（中央処理ユニット）を持つ演算処理部7aと、液晶画面を持つ画面表示部7bと、メモリやハードディスクドライブ装置等を持つ記憶部7cと、上記カードスロットに挿入されるカードを含む入出力インターフェース7dと、キーボード等を持つ操作部7eとを有しており、これによりパーソナルコンピュータ７は、記憶部7c内にあらかじめ記憶した、当該パーソナルコンピュータ７を測定位置・方向演算装置として機能させる移動測定プログラムと当該パーソナルコンピュータ７を３次元構造演算装置として機能させる３次元構造解析プログラムとの二種類のプログラムに基づいて、後述の如く、上記各センサ８〜１０からのデータを、デジタルカメラ5aからの撮影画像データと併せて画面表示部7bにより画面表示するとともに記憶部7c内に記録し、さらにそれらのデータから測定対象物としての植物群の３次元構造を求めて出力する。なお、車輪回転センサ８を構成する上記二個のポテンシオメータの出力電圧V1, V2については、V1/V0 およびV2/V0 の値から、死角でない方の出力を選んで車輪２の回転角に換算する。
【００２４】
この実施例の植物群用移動式３次元構造測定装置を用いて植物群、例えば森林の樹木の移動測定を行う際には、先ず、パーソナルコンピュータ７の電源を入れて上記移動測定プログラムを起動するとともに、角度・加速度センサ６の電源を入れて加速度センサ９と回転角センサ１０とを起動し、上記プログラムに基づいて作動するパーソナルコンピュータ７は、そのセンサ起動の際のｘ軸、ｙ軸およびｚ軸の位置を基本座標軸として使用する。
【００２５】
そしてその後、測定作業者が当該移動用一輪車４を手押しで走行させると、パーソナルコンピュータ７は、車輪回転センサ８を構成するポテンシオメータの出力データから換算される車輪２の回転角と車輪２の外径とから当該移動用一輪車４の移動距離を時々刻々と求め、その移動距離を、回転角センサ１０の出力データから得た当該移動用一輪車４の姿勢の三次元方向角度を用いて上記基本座標軸のｘ軸、ｙ軸およびｚ軸方向の各成分に分解して測定装置５の現在位置を求め、また回転角センサ１０の出力データから得た当該移動用一輪車４の姿勢の三次元方向角度を用いて現在の測定機器５の測定方向の天頂角および方位角を求めて、それらを記憶部7cのハードディスクドライブ装置でハードディスクに記録する。
【００２６】
そして測定作業者が、当該移動用一輪車４の移動走行中、あるいは適宜停止させて測定機器５を作動させる（二本のスリット光投光器5bに順次にスリット光を樹木に向けて投光させて、そのスリット光を受けた樹木をデジタルカメラ5aに撮影させる）と、パーソナルコンピュータ７は、測定機器５のデジタルカメラ5aが順次に出力する二種類の波長のレーザ光での樹木の画像データを所定のデータ形式に処理して測定結果として、上記求めた測定装置５の現在位置および現在の測定方向と対応づけて記憶部7cのハードディスクドライブ装置でハードディスクに記録する。
【００２７】
なお、天板３を当該移動用一輪車４の前後方向の地表面Ｇの傾きに対し正確に平行に維持しながら移動用一輪車４を手押しで走行させることは期待できないので、観測作業者毎に移動用一輪車４のハンドル1aを手で保持した時の平地での地表面Ｇに対する天板３の傾きをあらかじめ調べてパーソナルコンピュータ７に入力しておいて、パーソナルコンピュータ７が、回転角センサ１０の出力データから得た回転角をその傾き分補正する。
【００２８】
また、車輪回転センサ８の出力データに基づく車輪２の回転状態と、加速度センサ９の出力データに基づく加速度の発生状態とが対応しない場合（例えば車輪２が回転していないのに前後方向の加速度が検出された場合）には、移動用一輪車４に衝撃等による加速度が生じていて車輪２が実際の移動距離分回転していないと推定されるので、パーソナルコンピュータ７は、加速度センサ９が検出した加速度を二階積分してその加速度方向の移動距離を求め、その加速度から求めた移動距離を用いて、先に車輪２の回転角から求めた移動距離を補正する。
【００２９】
さらに、パーソナルコンピュータ７は、測定機器５の現在位置の変化から当該移動用一輪車４の移動軌跡を求めるとともに、画面表示部7bの液晶画面上にその求めた当該移動用一輪車４の移動軌跡を地図あるいは平面図上で表示し、その画面表示部7bの液晶画面上に、測定機器５の上記測定結果も同時に、あるいは画面を切り替えて表示する。
【００３０】
そして、パーソナルコンピュータ７は、当該移動式３次元構造測定装置での移動測定終了後に、上記３次元構造解析プログラムを実行することにて、記憶部7cのハードディスクドライブ装置でハードディスクから、撮影時のスリット光投光器5bおよびデジタルカメラ5aの位置と、スリット光投光器5bの投光方向およびデジタルカメラ5aの撮影方向と、デジタルカメラ5aの撮影した画像とのデータを読み出し、それらのデータから光切断法により、測定対象物としての森林の各樹木の３次元座標ひいてはその森林の３次元構造を求めて、画面表示部7bの液晶画面上への表示や記憶部7cのハードディスクドライブ装置でのハードディスクへの記録等の形態で出力する。
【００３１】
光切断法により各樹木の３次元座標を算出するには、先ず移動用一輪車４上に固定したローカル座標系での樹木の３次元位置を求める。そのローカル座標系のｙ軸は移動用一輪車４の車軸と平行であり、ｚ軸はデジタルカメラ5aの視軸（撮影方向）と一致するように設定されている。ここで、スリット光と上記ローカル座標系のｘ軸とが成す角をθ、デジタルカメラ5aの撮像素子の各画素がもつ固有の視野方向が上記ローカル座標系のｙｚ平面と成す角をα、ｘｚ平面と成す角をβとすると、スリット光の反射点を示すカメラ画素１点ごとに以下の式が成立し、そのスリット光反射点の３次元ローカル座標が計算で求められる。
【００３２】
【数１】
0003728511.tif 000002
なお、(3)式のｄの値は、スリット光の光軸を含む平面とｘ軸との交点のｘ座標を表す。デジタルカメラ5aの撮像素子の各画素のα，βは、予め測定して、パーソナルコンピュータ７にデータファイルとして記憶させてある。
【００３３】
次にスリット光反射点の絶対座標を求める。パーソナルコンピュータ７は、撮影時間に対応する移動用一輪車４の姿勢データと位置データをハードディスクから読み出して、上記ローカル座標を上記姿勢データを用いて回転移動変換し、その回転移動変換後の座標にさらに上記位置データを用いて平行移動変換を加えて、絶対座標を求める。
【００３４】
従って、この実施例の移動式３次元構造測定装置によれば、森林構造の特徴の充分な把握等のための測定対象物の広範囲な測定の際に、従来のようにレールやクレーン、ロープウェー等の施設を設置しなくても移動測定を行うことができるので、施設の設置の費用と手間がかからず安価に、かつ植物群の環境を損なうことなしに移動測定を行うことができ、また、ＧＰＳの衛星からの電波が届きにくい森林内その他の林冠下等でも測定を行うことができる。
【００３５】
しかも、この実施例の移動式３次元構造測定装置によれば、測定機器５のスリット光投光器5bがレーザ式ラインマーカにて構成されるものであり、レーザ式ラインマーカはスリット光として強くかつ細くて明確なレーザ光を投光し得ることから、光切断法での３次元構造測定をより正確に行うことができる。
【００３６】
また一般に森林の葉群は、幹枝に比べて可視緑色や近赤外光の反射率が高く、可視赤色光の反射率が低いという分光反射特性が知られている処、この実施例の移動式３次元構造測定装置によれば、測定機器５のスリット光投光器5bが、近赤外光と可視赤色光との二種類の波長のスリット光を選択的に順次に投光することから、それら二種類の波長のスリット光を投光してそれぞれ撮影した画像から葉群と幹枝を分別し得るので、森林がどのような構成になっているかを知ることができる。
【００３７】
しかも、この実施例の移動式３次元構造測定装置によれば、パーソナルコンピュータ７が、測定機器５の位置を継続的に求め、その測定機器５の位置の変化に基づき前記移動用一輪車４の移動経路を求めて、その移動経路を画面上に出力することから、移動測定中の測定作業者や、その後に測定データを分析する研究者等が、移動測定中の移動用一輪車４の移動経路を画面上で確認できるので、移動測定中の測定作業者は常に現在位置を確認し得て遭難の危険等を免れることができ、また測定データを分析する研究者は地形等のデータを併せて参照し得てより詳細な分析を行うことができる。
【００３８】
以上、図示例に基づき説明したが、この発明は上述の例に限定されるものでなく、例えば、この発明の移動式３次元構造測定装置は、森林地帯の他、工事現場、遺跡発掘現場、災害現場等でもそこにおける建造物や構造物群等の３次元構造測定に使用し得て、それらの測定対象物の迅速かつ的確な移動測定を容易に行うことができる。
【００３９】
また、この発明においては、測定機器５のスリット光投光器5bが、一種類または波長の異なる二種類のレーザ式ラインマーカを回転させてスリット光の投光方向を変更する回転型レーザ光投光器であっても良く、このようにすれば、移動測定中の各測定位置で従来のように一定範囲の測定を行い得るので、移動中に間隔をあけて停止して測定を行う場合にその測定間隔を広く取り得て、測定の手間と時間を少なくすることができる。
【００４０】
さらに、この発明においては、測定機器５のスリット光投光器5bが、液晶式プロジェクタであっても良く、このようにすれば、液晶式プロジェクタはレーザ光源と比較して耐振動性が高く、しかも対人安全性が高いので、当該移動式３次元構造測定装置の耐久性および測定作動時の安全性を高めることができる。そして液晶式プロジェクタを用いる場合には、可視緑色と可視赤色光とを撮影タイミング毎に切り替えて照射して、葉群と幹枝の分別を行うようにしても良い。
【００４１】
さらに、この発明においては、舗装路面のような比較的平坦で滑りにくい走行面上で用いられる場合には、互いに直角な三軸方向の前記一輪車の加速度を検出する加速度センサを省略しても良い。一方、移動用一輪車は、測定作業者の手押しを補助するためあるいは、測定作業者がハンドルを保持するだけで自走するための、モータ等の動力源を搭載していても良い。そしてこの発明においては、移動用一輪車は手押しに限らず、馬やロバ等の動物が装具でハンドル等を保持して走行させるようにしても良い。
【００４２】
かくしてこの発明の移動式３次元構造測定装置によれば、出力データとして例えば以下のものを得ることができる。
（１）林冠縦断二次元プロファイル。
森林内を数百メートルに亘り直線的に移動測定すれば、その軌跡を通る鉛直平面で森林を切断した断面の絵が得られ、どのような大きさ・枝張りの樹木から森林が構成されているかという実際の様子をビジュアルに画像表示することができる。
（２）生枝下高空間分布図
地面からどこまでの高さの枝が生きているかを表す生枝下高という数値は、生態学的に重要であるが、この発明の装置を用いて森林内を無作為に移動測定することにより、その森林の生枝下高の平均値や標準偏差が得られるだけでなく空間的な偏在性も調査することができる。なお生枝の判定には、上記分光反射特性を利用することができる。
【００４３】
【図面の簡単な説明】
【図１】  この発明の移動式３次元構造測定装置の一実施例としての植物群用移動式３次元構造測定装置の外観を模式的に示す斜視図である。
【図２】  上記実施例の植物群用移動式３次元構造測定装置の搭載機器の構成を示すブロック線図である。
【符号の説明】
１  フレーム
1a  ハンドル
1b  脚
２  車輪
３  天板
４  台車
５  測定機器
5a  デジタルカメラ
5b  スリット光投光器
６  角度・加速度センサ
７  パーソナルコンピュータ
7a  演算処理部
7b  画面表示部
7c  記憶部
7d  入出力インターフェース
7e  操作部
８  車輪回転センサ
９  加速度センサ
１０  回転角センサ
【図１】
0003728511.tif 000003
【図２】
0003728511.tif 000004